(57)【要約】【課題】吐出口の前側に位置する吐出口外壁への広告用シートの取付構造を簡略化し、且つ、表示効果の向上を図ることができるオープンショーケースを提供する。【解決手段】本発明のオープンショーケース１は、前面開口１２上縁に配設された外層吐出口１７より冷気を吐出し、開口１２に冷気エアーカーテンを構成して成るものであって、外層吐出口１７の前側に位置して前下方に指向した吐出口外壁４８と、該吐出口外壁４８前面に沿って取り付けられ、左右に渡る透視可能な広告保持部材４２とを備え、広告保持部材４２により、吐出口外壁４８前面に沿って広告用シート４３を保持する。【選択図】図３
2007222375.tif 000002
【特許請求の範囲】
【請求項１】
前面開口上縁に配設された吐出口より冷気を吐出し、前記開口に冷気エアーカーテンを構成して成るオープンショーケースにおいて、
前記吐出口の前側に位置して前下方に指向した吐出口外壁と、該吐出口外壁前面に沿って取り付けられ、左右に渡る透視可能な広告保持部材とを備え、
該広告保持部材により、前記吐出口外壁前面に沿って広告用シートを保持したことを特徴とするオープンショーケース。
【請求項２】
前記吐出口外壁上方に取り付けられ、引き出された状態で前記前面開口を閉塞する巻取式のナイトカバーを備え、前記広告保持部材の上部を前記ナイトカバーと共締め固定したことを特徴とする請求項１に記載のオープンショーケース。
【請求項３】
前記広告保持部材は、下端から前側に折り返された二重壁構造を呈しており、この折り返された二重壁間に前記広告用シートを保持することを特徴とする請求項１又は請求項２に記載のオープンショーケース。
【請求項４】
前記広告保持部材は、下端から後側に折り返された折返フランジを有し、この折返フランジ内に前記広告用シート下端を挿入した状態で、前記吐出口外壁前面との間に当該広告用シートを保持することを特徴とする請求項１又は請求項２に記載のオープンショーケース。
【発明の詳細な説明】
【技術分野】
【０００１】
本発明は、前面開口上縁に配設された吐出口より冷気を吐出し、開口に冷気エアーカーテンを構成して成るオープンショーケースに関するものである。
【背景技術】
【０００２】
従来この種オープンショーケースは、例えば特許文献１に示される如く、断熱壁内に内壁と区画壁によって外層冷気ダクトと内層冷気ダクトとを形成し、断熱壁の開口上縁にそれぞれ形成した外層冷気吐出口と内層冷気吐出口から前面開口に吐出して、外層冷気エアーカーテンと、内層冷気エアーカーテンを形成することにより、前面開口を閉塞している。
【０００３】
係る従来のオープンショーケース１００の構成について図９を参照して説明する。図９は従来のこの種オープンショーケース１００の開口１０１上縁部分の拡大縦断側面図を示している。断面略コ字状の断熱壁１０２は前記開口１０１にて前方に開放している。この断熱壁１０２内には前方に開放する金属製の内壁１０３が配設され、この内壁１０３内部に商品を陳列する陳列室１０４が形成されている。内壁１０３と断熱壁１０２間には、金属製の区画壁１０５が介設され、それによって内壁１０３と区画壁１０５間には、内層冷気ダクト１０６が、また、区画壁１０３と断熱壁１０２間には外層冷気ダクト１０７が形成されている。断熱壁１０２の開口１０１上縁には前記各冷気ダクト１０６、１０７にそれぞれ連通する吐出口１０８、１０９が前後に並設されており、各吐出口１０８、１０９には整流用ハニカム材１１０、１１１が固定板１１２及び１１３によってそれぞれ取り付けられている。
【０００４】
他方、断熱壁１０２の上縁前端には、照明灯反射板１１４が設けられており、当該照明灯反射板１１４の前部陳列室１０４側には、当該陳列室１０４内を上方から照明するための照明灯１１５が取り付けられている。
【０００５】
ここで、この前側に位置して外層冷気ダクト１０７の冷気吐出口１０９に取り付けられるハニカム材１１１を固定する固定板１１３の前面は、前下方に指向して支持板１１６が設けられている。この支持板１１６は、顧客から目に付きやすいところにある。そのため、当該支持板１１６の前面には、オープンショーケース１００に陳列された商品の例えば広告板等の表示板１１９の下端を保持するための保持具１１７が取り付けられると共に、前記照明灯反射板１１４の後部壁１１４Ａ前面には、下方に延出された上部保持具１１８が取り付けられる。これにより、表示板１１９が支持板１１６の前面に沿って前下方に指向された状態で、保持される。
【０００６】
他方、特許文献２に示されるオープンショーケースは、上記断熱壁１０２の上縁前端に、芯部にシート状のカバーを巻き取る機能を有するナイトカバーと称するカバー部材を備えたものである。当該ナイトカバーの下方に該ナイトカバーを保持するナイトカバー保持部材が設けられており、当該ナイトカバー保持部材の後端と固定板の前面との間に表示板の上端を保持する上部保持部を備え、上記と同様に表示板の下端は固定板の前面に取り付けられた保持具と共に、表示板を保持する。
【特許文献１】特開平５−３０６８７１号公報
【特許文献２】特開平５−３０５０１７号公報
【発明の開示】
【発明が解決しようとする課題】
【０００７】
広告板等の表示板は、一般に、紙や樹脂製のシートによって構成されている。そのため、上記いずれの構成においても、表示板は、上端と下端を保持するのみの構成とされていたため、弛みやすくなり、垂れ下がってしまう不都合や、表示板の中央部分が撓んでしまったり、当該撓んでしまうことで、保持具から脱落してしまう問題がある。そこで、直接、粘着テープなどによって吐出口１０９の前側に位置する固定板１１３の前面、即ち支持板１１６の前面に沿って表示板１１９を貼り付けることが考えられるが、係る吐出口付近は、高所に位置するため、作業がし難く、また、時間の経過に伴って剥がれてしまう問題がある。
【０００８】
また、上記いずれの場合においても、直接表示板が外部に面していることから、汚れやすく、変色や劣化し易くなる。これにより、陳列効果を高めるために取り付けられる表示板自体が、オープンショーケース全体の美感を損ねてしまう問題がある。
【０００９】
そこで、本発明は従来の技術的課題を解決するためになされたものであり、吐出口の前側に位置する吐出口外壁への広告用シートの取付構造を簡略化し、且つ、表示効果の向上を図ることができるオープンショーケースを提供する。
【課題を解決するための手段】
【００１０】
本発明のオープンショーケースは、前面開口上縁に配設された吐出口より冷気を吐出し、開口に冷気エアーカーテンを構成して成るものであって、吐出口の前側に位置して前下方に指向した吐出口外壁と、該吐出口外壁前面に沿って取り付けられ、左右に渡る透視可能な広告保持部材とを備え、広告保持部材により、吐出口外壁前面に沿って広告用シートを保持したことを特徴とする。
【００１１】
請求項２の発明のオープンショーケースは、上記発明において、吐出口外壁上方に取り付けられ、引き出された状態で前面開口を閉塞する巻取式のナイトカバーを備え、広告保持部材の上部をナイトカバーと共締め固定したことを特徴とする。
【００１２】
請求項３の発明のオープンショーケースは、上記各発明において、広告保持部材は、下端から前側に折り返された二重壁構造を呈しており、この折り返された二重壁間に広告用シートを保持することを特徴とする。
【００１３】
請求項４の発明のオープンショーケースは、請求項１又は請求項２の発明において、広告保持部材は、下端から後側に折り返された折返フランジを有し、この折返フランジ内に広告用シート下端を挿入した状態で、吐出口外壁前面との間に当該広告用シートを保持することを特徴とする。
【発明の効果】
【００１４】
本発明によれば、前面開口上縁に配設された吐出口より冷気を吐出し、開口に冷気エアーカーテンを構成して成るオープンショーケースにおいて、吐出口の前側に位置して前下方に指向した吐出口外壁と、該吐出口外壁前面に沿って取り付けられ、左右に渡る透視可能な広告保持部材とを備え、広告保持部材により、吐出口外壁前面に沿って広告用シートを保持したので、広告用シートを、透視可能な広告保持部材によって、前面を保持することが可能となり、広告用シートが弛んでしまったり、垂れ下がってしまう不都合を解消することができる。
【００１５】
特に、吐出口の前側に位置して前下方に指向した吐出口外壁に沿って広告用シートを取り付けることが可能となるため、顧客の目に付きやすい位置に広告を取り付けることができ、広告性能を向上させることができる。
【００１６】
請求項２の発明によれば、上記発明において、吐出口外壁上方に取り付けられ、引き出された状態で前面開口を閉塞する巻取式のナイトカバーを備え、広告保持部材の上部をナイトカバーと共締め固定したので、格別に広告保持部材を取り付けるネジ孔等をオープンショーケース側に設けることなく広告保持部材を取り付けることが可能となる。そのため、当該広告保持部材を使用しない場合であっても、広告保持部材を取り付けるための孔等が露出してしまう不都合を回避することができる。
【００１７】
請求項３の発明によれば、上記各発明において、広告保持部材は、下端から前側に折り返された二重壁構造を呈しており、この折り返された二重壁間に広告用シートを保持するので、広告保持部材内に広告用シートを収容することができる。そのため、当該広告用シートが外部に露出された状態となることなく、広告用シートの広告機能を発揮することが可能となるため、当該広告用シートが汚れや破れ等が生じがたくなり、広告用シートの劣化を抑制することが可能となる。これにより、広告用シートの広告性能を維持することができると共に、オープンショーケース全体の美感を維持することが可能となる。
【００１８】
請求項４の発明によれば、請求項１又は請求項２の発明において、広告保持部材は、下端から後側に折り返された折返フランジを有し、この折返フランジ内に広告用シート下端を挿入した状態で、吐出口外壁前面との間に当該広告用シートを保持するので、折返フランジ内に広告用シートを挿入することで前面が広告保持部材にて覆われた状態で、広告用シートを吐出口外壁前面に取り付けることが可能となる。
【００１９】
そのため、広告保持部材の構成を簡素化することができると共に、当該構成においても、当該広告用シートが外部に露出された状態となることなく、広告用シートの広告機能を発揮することが可能となるため、当該広告用シートが汚れや破れ等が生じがたくなり、広告用シートの劣化を抑制することが可能となる。これにより、広告用シートの広告性能を維持することができると共に、オープンショーケース全体の美感を維持することが可能となる。
【００２０】
特に、当該構成によれば、広告用シートは、広告保持部材の下方から挿入可能とされるため、吐出口外壁前面が比較的高所の位置であっても、当該広告用シートの取付作業を容易に行うことができる。
【発明を実施するための最良の形態】
【００２１】
次に、図面を参照して本発明の実施形態について詳述する。図１は本発明を適用したオープンショーケース１の斜視図、図２は図１のオープンショーケース１の縦断側面図をそれぞれ示している。
【００２２】
オープンショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００２３】
オープンショーケース１の断熱壁２の内側にはそれぞれ間隔を存して仕切板４及び図示しないもう一枚の仕切板が取り付けられ、これら仕切板４などと断熱壁２間に図示しない内外二層のダクトが形成されている。内側の仕切板を構成する背部仕切板１０の下端前方には、底板９が断熱壁２の底壁２Ａとの間にダクト用の間隔を存して取り付けられており、これら仕切板４及び底板９の内側を陳列室１１としている。
【００２４】
また、この陳列室１１内には、高さ及び取付角度が変更可能であると共に、陳列室１１内背部の図示しない支柱に取り付けられる一対のブラケット３１及びこれらと共に棚装置を構成する棚板３２が複数段に渡って架設されている。棚板３２の前縁には、硬質合成樹脂により成形されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられる。また、各棚板３２の下面前部には、下方の棚板３２上に陳列される商品を照明するための照明灯３６が配設されている。
【００２５】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には、内層吸込口１８と外層吸込口１９が並設されている。尚、内層吐出口１６の陳列室１１側の天面仕切板８には、陳列室１１内を上方から照明するための照明灯３９が設けられている。
【００２６】
一方、底板９下方後部には断熱壁２の底壁２Ａ上に前記内層ダクト及び外層ダクトのそれぞれに対応する図示しない送風機が複数台設置されている。
【００２７】
背部仕切板１０後方の内層ダクト内には冷却装置の図示しない冷却器が縦設されており、前記内層ダクトに対応した送風機が運転されると冷却器と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００２８】
他方、前記外層ダクトに対応した送風機が運転されると外層ダクト内の空気は外層ダクト内を上昇せられ、外層吐出口１７より外層吸込口１９に向かった吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて陳列室１１は冷却される。
【００２９】
一方、断熱壁２の下側前壁２Ｃは、下部が底壁２Ａの前端に渡って後退した後退部２Ｄとされており、当該後退部２Ｄは、底壁２Ａの前端と連続して構成される。係る前壁２Ｃの上面には、ショーケース１の開口１２下縁の全幅に渡って設けられるハンドレール本体２４と、当該ハンドレール本体２４に設けられるフロントガラス保持溝をフロントガラス不装着時に閉塞する上カバー２６と、当該ハンドレール本体２４の上端から前面を被覆する前面上パネル２５とから構成されるハンドレール２０が取り付けられている。そして、この前壁２Ｃの前面には、前面上パネル２５と連続するように前面下パネル２１が取り付けられ、後退部２Ｄの前面には前面下パネル２１と略面一となるようにバンパー２２が取り付けられる。尚、図中６５は、底壁２Ａの前端下方に設けられる前面パネルであり、６６はバンパー２２を前面パネル６５に保持するための下部保持板である。また６７は、後退部２Ｄの前面に位置して前面下パネル２１の下端支持やバンパー２２の補強、更には、当該オープンショーケース１を並設した際に、隣接するオープンショーケースとの連結に供される受け金具である。
【００３０】
次に、図３乃至図５を参照して、断熱壁２の天壁２Ｂ前部の構成について説明する。図３は断熱壁２の天壁２Ｂ前部の縦断側面図、図４は広告保持部材４２の縦断側面図、図５は広告保持部材４２に広告用シート４３を挿入する状態を説明する断熱壁２の天壁２Ｂ前部の縦断側面図を示している。
【００３１】
断熱壁２の天壁２Ｂ前端にはパネル３３が取り付けられており、このパネル３３の内方には、照明灯反射板４５が取り付けられる。尚、当該パネル３３の前面には図１に示されるように温度計３８が設けられている。この照明灯反射板４５は、化粧塗装が施された鋼板性材料にて構成されており、パネル３３の後方に位置して照明灯３７を取り付けるための照明灯取付面４６と、断熱壁２の天壁２Ｂの前端に位置して巻き取り式のナイトカバー４０を取り付けるためのナイトカバー取付部４７と、外層吐出口１７の前側に位置して外層ダクトの前端を閉塞する吐出口外壁４８とが折曲形成されることで一体に形成される。尚、本実施例では、取付面、取付部及び外壁を照明灯反射板４５にて一体に形成しているが、これに限定されるものではなく、個々の取付面等を構成する板材等を組み合わせることにより、構成したものであっても良いものとする。
【００３２】
照明灯取付面４６は、照明灯３７、３７が取り付けられ、当該取付面４６の後下方に形成される陳列室１１内を上前方から照明するため、所定角度にて傾斜して当該取付面４６が陳列室１１内に面して形成される。
【００３３】
ナイトカバー４０が取り付けられるナイトカバー取付部４７は、断面略コ字状に折曲形成されていると共に、当該上壁は、前記照明灯取付面４６の後端と連続して形成される。このナイトカバー取付部４７を構成する上角隅部は、前下方に面するように所定角度にて傾斜して形成されたナイトカバー取付面４７Ａとされている。そして、このナイトカバー取付部４７には、ナイトカバー４０及び該ナイトカバー４０を巻取支持するナイトカバー支持具４１が収納取付される。
【００３４】
ここで、ナイトカバー４０は、オープンショーケース１の前面開口１２に引き出された状態で、カバーにて外気のオープンショーケース１内への侵入を効果的に防ぎ、冷却運転の省エネルギー化を図るものであり、営業時間にはナイトカバー４０の両端に位置するナイトカバー支持具４１の芯部に自動的に巻き取られ、支持される。
【００３５】
このナイトカバー支持具４１の上辺は、前上方に向けて傾斜して形成される取付片４１Ａとされ、前記ナイトカバー取付部４７に形成されたナイトカバー取付面４７Ａと当接可能とされる。当該ナイトカバー支持具４１の下部後端は、断面略Ｌ字状とされ、当該ナイトカバー支持具４１が収容されるナイトカバー取付部４７の下角隅部に当接可能とされる。尚、当該ナイトカバー取付部４７の後面上部には、ナイトカバー取付面４７Ａの下方に位置して当該ナイトカバー支持具４１をネジにて固定するための図示しない固定孔が形成され、当該固定孔を用いてナイトカバー支持具４１がネジにてナイトカバー取付部４７に固定される。
【００３６】
他方、前記吐出口外壁４８は、上端がナイトカバー取付部４７の下端と連続して形成されており、当該吐出口外壁４８は、前下方に指向して、所定角度にて折曲形成される。この吐出口外壁４８の下端には、上方に略垂直に折曲形成された取付片４９が形成されており、当該取付片４９には、外層側吐出口１７の前縁を構成すると共に、ハニカム材１４の前端を支持する取付部材５０の下端に形成される係合部５１が係合支持される。
【００３７】
係る構成により、照明灯反射板４５の照明灯取付面４６に取り付けられた照明灯３７が点灯されると、当該照射光により直接陳列室１１内を前上方から照明することができると共に、当該照射光の一部は、照明灯反射板４５を構成する照明灯取付面４６、ナイトカバー取付部４７、吐出口外壁４８に反射され、陳列室１１内のみならず、陳列室１１前方やオープンショーケース１前方をも照明することができる。
【００３８】
ここで、オープンショーケース１の前側に立った顧客から目に付きやすい位置にある照明灯反射板４５を構成する吐出口外壁４８には、当該吐出口外壁４８の前面に沿って左右に延在する広告保持部材４２が着脱自在に取り付けられる。この広告保持部材４２は、内部を透視可能とする透明板により構成されており、本実施例では左右に約１２２０ｍｍ程度（４尺）延在して形成される。そのため、本実施例では、オープンショーケース１の前面開口１２が８尺（約２４４０ｍｍ程度）であるため、当該広告保持部材４２は、２枚並設した状態で吐出口外壁４８に取り付けられることとなる。
【００３９】
尚、当該広告保持部材４２の左右の寸法は、これに限定されるものではなく、例えば、オープンショーケース１の前面開口１２が６尺（約１８３０ｍｍ程度）である場合には、広告保持部材４２の左右寸法を約９１５ｍｍ程度（３尺）に形成し、当該広告保持部材４２を２枚並設した状態で吐出口外壁４８に取り付けてもよい。いずれも、一台のオープンショーケース１につき、２枚の広告保持部材４２を使用しているが、これに限定されるものではなく、オープンショーケースの前面開口の左右寸法に応じて、上記３尺又は４尺に構成される広告保持部材４２の使用枚数を変更することが好ましい。これにより、左右に渡って長手に構成される当該広告保持部材４２の取扱い性が向上する。
【００４０】
図４は広告保持部材４２の断面図を示している。本実施例における広告保持部材４２は、照明灯反射板４５を構成するナイトカバー取付部４７の後面及び下壁、更には、吐出口外壁４８の前面に沿って折曲形成される取付面４２Ａと、当該取付面４２Ａの下端が前側に折り返された二重壁４２Ｂとから構成される。尚、取付面４２Ａの上部、即ち、ナイトカバー取付部４７の後面に対応する面の上部には、ネジ止め用の固定孔が形成されているものとする。
【００４１】
そして、この広告保持部材４２を取り付ける場合には、先ず照明灯反射板４５を構成するナイトカバー取付部４７の前側から広告保持部材４２の取付面４２Ａ上部を当接する。これにより、取付面４２Ａは、ナイトカバー取付部４７の後面前側に当接されると共に、ナイトカバー取付部４７の下壁の上面に当接される。尚、この状態で広告保持部材４２の取付面４２Ａの下部は、吐出口外壁４８の前面に当接される。
【００４２】
その後、上記ナイトカバー４０が取り付けられたナイトカバー支持具４１を広告保持部材４２の取付面４２Ａの前側からナイトカバー取付部４７に収容する。そして、ナイトカバー支持具４１に形成された固定孔と、広告保持部材４２の取付面４２Ａに形成された固定孔とを重合させ、ネジにてナイトカバー取付部４７の後面に共締めにて固定する。
【００４３】
上述したように吐出口外壁４８の前面に取り付けられた広告保持部材４２は、下端から前側に折り返された二重壁構造にて形成されているため、図５に示すように、二重壁４２Ｂの上端を取付面４２Ａから離間させる方向、即ち、下方に引き下げることで、取付面４２Ａと二重壁４２Ｂとの間に開口が形成される。当該開口より広告用シート４３を下端から挿入することで、当該広告用シート４３は、格別な工具を用いることなく容易に吐出口外壁４８の前面に沿って広告保持部材４２に取り付けることができる。そのため、当該広告用シート４３の交換作業を容易に行うことができる。
【００４４】
ここで、当該広告用シート４３は、紙や樹脂製のシートにより構成されており、表面に陳列室１１内に陳列される商品の商品名や関連する情報などが記載されている。そのため、当該広告保持部材４２が内部を透視可能とする透明板にて形成されていることから、広告用シート４３が広告保持部材４２内、即ち、取付面４２Ａと二重壁４２Ｂとの間に収容されている場合であっても、外部から容易に広告用シート４３を視認することができる。
【００４５】
また、当該広告用シート４３は、下端が取付面４２Ａと二重壁４２Ｂによって構成される折返し部分にて支持されると共に、当該広告用シート４３の前面が、これら取付面４２Ａと二重壁４２Ｂとの間に収容されることで支持されるため、広告用シート４３が弛んでしまったり、垂れ下がってしまう不都合を解消することができる。
【００４６】
また、広告用シート４３は、前面が二重壁４３Ｂにて被覆されるため、外部に露出された状態となることなく、広告用シート４３の広告機能を発揮することが可能となるため、当該広告用シート４３が汚れや破れ等が生じがたくなり、広告用シート４３の劣化を抑制することが可能となる。これにより、広告用シート４３の広告性能を維持することができると共に、オープンショーケース１全体の美感を維持することが可能となる。
【００４７】
また、広告保持部材４２は、外層吐出口１７の前側に位置して前下方に指向した吐出口外壁４８に沿って広告用シート４３を取り付けることが可能となるため、顧客の目に付きやすい位置に広告を取り付けることができ、広告性能を向上させることができる。
【００４８】
更に、当該広告用シート４３を保持する広告保持部材４２は、取付面４２Ａの上部をナイトカバー４０を支持するナイトカバー支持具４１と共締めにてナイトカバー取付部４７に固定したので、格別に広告保持部材を取り付けるネジ孔等をオープンショーケース１側に設けることなく広告保持部材４２を取り付けることが可能となる。そのため、当該広告保持部材４２を使用しない場合であっても、広告保持部材４２を取り付けるための孔等が露出してしまう不都合を回避することができる。
【００４９】
次に、図６乃至図８を参照して、他の実施例としての広告保持部材５３の構成について説明する。図６は他の実施例としての広告保持部材５３を備えた断熱壁２の天壁２Ｂ前部の縦断側面図、図７は広告保持部材５３の縦断側面図、図８は広告保持部材５３に広告用シート４３を挿入する状態を説明する断熱壁２の天壁２Ｂ前部の縦断側面図を示している。尚、広告保持部材５３以外の構成については上記実施例と同様の構成であるため、説明を省略する。
【００５０】
他の実施例としての広告保持部材５３は、上記広告保持部材４２と同様にオープンショーケース１の前側に立った顧客から目に付きやすい位置にある照明灯反射板４５を構成する吐出口外壁４８の前面に沿って左右に延在して着脱自在に取り付けられる。当該広告保持部材５３も、内部を透視可能とする透明板により構成されており、本実施例では左右に約１２００ｍｍ程度延在して形成される。
【００５１】
係る実施例における広告保持部材５３は、照明灯反射板４５を構成するナイトカバー取付部４７の後面及び下壁、更には、吐出口外壁４８の前面に沿って折曲形成される取付面５３Ａと、当該取付面５３Ａの下端が後側に折り返された折返しフランジ５３Ｂとから構成される。尚、取付面５３Ａの上部、即ち、ナイトカバー取付部４７の後面に対応する面の上部には、ネジ止め用の固定孔が形成されているものとする。
【００５２】
そして、この広告保持部材５３を取り付ける場合には、先ず照明灯反射板４５を構成するナイトカバー取付部４７の前側から広告保持部材５３の取付面５３Ａ上部を当接する。これにより、取付面５３Ａは、ナイトカバー取付部４７の後面前側に当接されると共に、ナイトカバー取付部４７の下壁の上面に当接される。尚、この状態で広告保持部材５３の取付面５３Ａの下部は、吐出口外壁４８の前面に近接する。
【００５３】
その後、上記ナイトカバー４０が取り付けられたナイトカバー支持具４１を広告保持部材５３の取付面５３Ａの前側からナイトカバー取付部４７に収容する。そして、ナイトカバー支持具４１に形成された固定孔と、広告保持部材５３の取付面５３Ａに形成された固定孔とを重合させ、ネジにてナイトカバー取付部４７の後面に共締めにて固定する。
【００５４】
上述したように吐出口外壁４８の前面に取り付けられた広告保持部材５３は、下端から後側に折り返された折返しフランジ５３Ｂが形成されているため、図８に示すように、取付面５３Ａの下端を吐出口外壁４８から離間させる方向、即ち、前方に引くことで、取付面５３Ａと吐出口外壁４８との間に開口が形成される。当該開口より広告用シート４３を挿入し、当該広告用シート４３の下端を、折返しフランジ５３Ｂと取付面５３Ａとの間に挿入保持させる。これにより、格別な工具を用いることなく、当該広告保持部材５３により、容易に広告用シート４３を吐出口外壁４８の前面に沿って取り付けることができる。そのため、当該広告用シート４３の交換作業を容易に行うことができるようになる。
【００５５】
ここで、広告保持部材５３は内部を透視可能とする透明板にて形成されていることから、広告用シート４３が広告保持部材５３内、即ち、取付面５３Ａと吐出口外壁４８との間に収容されている場合であっても、外部から容易に広告用シート４３を視認することができる。
【００５６】
また、当該広告用シート４３は、下端が取付面５３Ａと折返しフランジ５３Ｂによって構成される折返し部分にて支持されると共に、当該広告用シート４３の前面が、これら取付面５３Ａと吐出口外壁４８との間に収容されることで支持されるため、簡素な構成の広告保持部材５３によっても、広告用シート４３が弛んでしまったり、垂れ下がってしまう不都合を解消することができる。
【００５７】
また、広告用シート４３は、前面が取付面５３Ａにて被覆されるため、外部に露出された状態となることなく、広告用シート４３の広告機能を発揮することが可能となるため、当該広告用シート４３が汚れや破れ等が生じがたくなり、広告用シート４３の劣化を抑制することが可能となる。これにより、広告用シート４３の広告性能を維持することができると共に、オープンショーケース１全体の美感を維持することが可能となる。
【００５８】
特に、当該構成によれば、広告用シート４３は、広告保持部材５３の下方から挿入可能とされるため、吐出口外壁４８前面が比較的高所の位置であっても、当該広告用シート４３の取付作業を容易に行うことができる。
【００５９】
また、広告保持部材５３は、外層吐出口１７の前側に位置して前下方に指向した吐出口外壁４８に沿って広告用シート４３を取り付けることが可能となるため、顧客の目に付きやすい位置に広告を取り付けることができ、広告性能を向上させることができる。
【００６０】
更に、当該広告用シート４３を保持する広告保持部材５３は、上記実施例と同様に、取付面５３Ａの上部をナイトカバー４０を支持するナイトカバー支持具４１と共締めにてナイトカバー取付部４７に固定したので、格別に広告保持部材を取り付けるネジ孔等をオープンショーケース１側に設けることなく広告保持部材５３を取り付けることが可能となる。そのため、当該広告保持部材５３を使用しない場合であっても、広告保持部材５３を取り付けるための孔等が露出してしまう不都合を回避することができる。
【図面の簡単な説明】
【００６１】
【図１】本発明を適用したオープンショーケースの斜視図である。
【図２】図１のオープンショーケースの縦断側面図である。
【図３】断熱壁の天壁前部の縦断側面図である。
【図４】広告保持部材の縦断側面図である。
【図５】広告保持部材に広告用シートを挿入する状態を説明する断熱壁の天壁前部の縦断側面図である。
【図６】他の実施例としての広告保持部材を備えた断熱壁の天壁前部の縦断側面図である。
【図７】広告保持部材の縦断側面図である。
【図８】広告保持部材に広告用シートを挿入する状態を説明する断熱壁の天壁前部の縦断側面図である。
【図９】従来のオープンショーケースの断熱壁の天壁前部の縦断側面図である。
【符号の説明】
【００６２】
１    オープンショーケース
２    断熱壁
２Ｂ  天壁
１１  陳列室
１３、１４  ハニカム材
１６  内層吐出口
１７  外層吐出口
４２、５３  広告保持部材
４２Ａ、５３Ａ  取付面
４２Ｂ  二重壁
４３  広告用シート
４５  照明灯反射板
４６  照明灯取付面
４７  ナイトカバー取付部
４８  吐出口外壁
４９  取付片
５０  取付部材
５１  係合部
５３Ｂ  折返しフランジ
【図１】
2007222375.tif 000003
【図２】
2007222375.tif 000004
【図３】
2007222375.tif 000005
【図４】
2007222375.tif 000006
【図５】
2007222375.tif 000007
【図６】
2007222375.tif 000008
【図７】
2007222375.tif 000009
【図８】
2007222375.tif 000010
【図９】
2007222375.tif 000011